(57)【要約】【課題】  乾燥効果の上がる身体乾燥装置を提供すること。【解決手段】  縦向きの本体と、同本体の底部に設けられた底盤と、本体の上部に設けられた天盤とを備え、送風手段とヒーターとにより発生する熱風が本体に開設した身体用熱風吹出口を通じて噴出されるとともに天盤に備えたヘアー用熱風吹出口を通じても熱風が噴出されるように構成されている。また、このものにおいて、本体に離間する位置には、同本体に対面する背面壁が設けられ、同背面壁に当った熱風が底盤内を通じて送風手段に吸引されるようになっている。【選択図】  図２
2006223814.tif 000002
【特許請求の範囲】
【請求項１】
縦向きの本体と、同本体の底部に設けられた底盤と、本体の上部に設けられた天盤とを備え、送風手段とヒーターとにより発生する熱風が本体に開設した身体用熱風吹出口を通じて噴出されるとともに天盤に備えたヘアー用熱風吹出口を通じても熱風が噴出されるように構成されている身体乾燥装置。
【請求項２】
請求項１記載のものにおいて、本体に離間する位置には、同本体に対面する背面壁が設けられ、同背面壁に当った熱風が底盤内を通じて送風手段に吸引されるようになっている身体乾燥装置。
【発明の詳細な説明】
【技術分野】
【０００１】  本発明は、身体乾燥装置に関する。
【背景技術】
【０００２】  一般に、湯上がりには、タオルなどで身体や髪を拭いて乾かすが、これでは手間がかかるだけでなく拭き残しもある。
【発明が解決しようとする課題】
【０００３】  ところで、こうした問題を解消するため、身体乾燥装置に関する技術が各種提案されているが、今一つ乾燥作用に有効でない。
上記に鑑み、本発明は、乾燥効果が上がる身体乾燥装置を提供することを目的とする。
【課題を解決するための手段】
【０００４】  上記課題を解決するため、請求項１記載の発明は、縦向きの本体と、同本体の底部に設けられた底盤と、本体の上部に設けられた天盤とを備え、送風手段とヒーターとにより発生する熱風が本体に開設した身体用熱風吹出口を通じて噴出されるとともに天盤に備えたヘアー用熱風吹出口を通じても熱風が噴出されるように構成されている。
請求項２記載の発明は、請求項１記載のものにおいて、本体に離間する位置には、同本体に対面する背面壁が設けられ、同背面壁に当った熱風が底盤内を通じて送風手段に吸引されるようになっている。
【発明の効果】
【０００５】  本発明によれば、乾燥効果の上がる身体乾燥装置を提供することができる。
【発明を実施するための最良の形態・実施例】
【０００６】  各実施形態で説明する内容は、他の実施形態にも同様に適用がある。
図１および図２は、本発明に係る身体乾燥装置についての一実施形態を示す。
同実施形態において１は底盤、２は本体、３は天盤である。
底盤１は、図１に示すような平面長円形状で２０ｃｍ前後の厚みをもった中空状のフレームで、同底盤１の前部（図の右側）内には、駆動源５と送風機（送風手段）６が装備されている。送風機６はコンプレッサとすることがある。
【０００７】  本体２は、直径４０〜５０ｃｍの上下貫通状をした円筒体で、高さは大人Ａの身長より１５〜２０ｃｍ程度高いのものであり、その内部は、大人Ａの首下高さに対応するところに半円板状をした閉止板７が水平に固定され、残る半円弧状の個所は、ヒンジ８で上下に開閉可能な通気制御板９が設けられている。通気制御板９は、本体２外に備えた制御ツマミ１０により図２のようにその開閉度を調節することができる。
【０００８】  この調節により、本体２から吹きだす量と天盤３から吹きだす量とを制御可能である。すなわち、天盤３から多く吹き出したい場合には、ツマミ１０を図２の左回りに回し、主に本体２からより多く吹き出したい場合には、ツマミ１０を右回りに回す。このツマミ１０は、本体２の前面に配置すれば調節しやすい。
【０００９】  本体２内には、第１通気板（図の右側）１２と第２通気板（図の左側）１３とが前後に離間して縦向きに横断して固定されている。これら第１・第２通気板１２，１３はパンチング板やメッシュ板などで構成することができる。
【００１０】  第１通気板１２の後側空間には、送風機６の出口に接続され上端が閉止あるいは多孔状をした等分制御筒１４が縦筒状に設けられ、同制御筒１４は、孔付きのものでパンチング筒やメッシュ筒などでもよい。
【００１１】  １６…は主ヒーターで、第１・第２通気板１２，１３間に設けられている。これら主ヒーター１６…には、送風機６から等分制御筒１４の多孔を通り第１通気板１２を通った送気が通過して加温される。その加温された熱風は、第２通気板１３の多孔を通じて多数の主吹出口（身体用熱風吹出口）１７…から吹き出される。
【００１２】  尚、１８は制御盤で、本体２の前面に設けられ、同制御盤１８により、例えば、主ヒーター１６の温度調節や送風機６の送気量を調節できるようにする。
また、１９は出入りセンサーで、大人Ａが装置内に入るとＯＮとなり出るとＯＦＦ信号を制御部（図示省略）に送り、駆動源６や主ヒーター１６などを全て制御する。
さらに、２０は体重計で、この体重計２０のＯＮ・ＯＦＦで制御部に信号を送るようにしてもよい。
また、２１はミラーである。
【００１３】  前記本体２の上部空間には、天盤３の一端が連通しており、通気制御板９が開かれた場合には、送気が天盤３内に送り込まれるようになっている。そして、天盤３内には、副ヒーター２１が設けられ、ここで加温されて得た熱風が、副吹出口（ヘアー用熱風吹出口）２２…を通じて下向きに噴出されるようになっている。この副吹出口２２…は垂直下方に向けて噴出するもので、大人Ａの髪を中心にして吹き降ろし、そのことから顔には主・副吹出口１７，２２からの熱風が吹き付けないようにしてある。それにより目や口、鼻などに熱風が激しくあたって苦しくなったりする不快感がなくなる。尚、顔面には上からの熱風があたるので乾くようになっているが、微風を前方から吹き注ぐことはある。
【００１４】  ２４は背面壁で、天盤３と底盤１との間をつなぐ湾曲板状のものであり、その凹み側が大人Ａの方向に向くようにされていることから、前方からの熱風と吹き飛ばされた湯分が集束するようにして当て付けられ、外部に放逸するようなことが少なくなるし、その底部に開けた底連通口２５を通じて送風機６まで循環回収するようになっているので、熱分を有効利用することができる。したがって、熱分を有効利用するので、ヒーター１６，２１の温度制御は次第に低い温度になるようにする。
【００１５】  尚、前記出入りセンサー１９…は上下に複数個設けてあるので、例えば、大人Ａ以外に子供が利用する場合にはそれに応じた高さ分のみの主吹出口１７…が吹き出し作用するように制御する。その具体的方法は、図７において述べる。
また、背面壁２４には、必要に応えるため、独自に使用可能なヘアードライヤー２６をセットしておくものとする。このドライヤー２６は、ガイドレールに添って上下に移動調節可能にしてもよい。
さらに、装置の左右は開放型となっているが、その一方あるいは双方を閉止手段で開閉可能にしてもよい。双方を閉止する場合は、サウナとして利用できる。この場合、安全のため換気を可能にする必要がある。これらの具体的な方式は以下の実施形態で述べる。
また、前記底盤１からも熱風を吹き出すようにしてもよい。
さらに、同装置は、浴室外の脱衣室内に設置するが、浴室内に設置してもよい。このことは他の実施形態でも同様にいえる。
【００１６】  図３は身体乾燥装置の他の実施形態を示す。２８は底盤、２９は本体、３０は天盤をそれぞれ示す。同装置の場合も本体２９から身体を乾かす熱風が吹き出されるとともに天盤３０から髪を乾かす熱風が吹き出すようになっている。そして、背面壁３１も本体２９から離間して湾曲状をなして設けられているが、この背面壁３１側の凹みスペースを利用して物干手段３２が設けられている。
【００１７】  この物干手段３２は、雨降りのときなど必要に応じて利用されるもので、背面壁３１の湾曲両端縁部に縦列に配備された軸受３３…と、これら左右の軸受３３…に回転自在に挿通支持された支持軸３４，３４とを備えるとともに、各軸３４回りには、複数本のハンガー棒３５…が水平にかつ干渉しない関係で突設されている。同ハンガー棒３５…は、矢印のように手前空間へと回転により引き出されて本体２９から吹き出す熱風により強制的な物干として使用される。
【００１８】  ハンガー棒３５の中には、長いものや短いものがあるが、全て同じ長さに統一してもよい。また、同ハンガー棒３５の中には、副ハンガー棒３６をヒンジ３７で備え付けたものがあって小物を干すことができるようになっている。３８は干し物で、前記ハンガー棒３５や副ハンガー棒３６を展開して掛け得るものである。
尚、前記支持軸３４は左右に離間して配置されていたが、背面壁３１の左右中間位置に１本あるいは複数本配備して回転自在に支持してもよい。
【００１９】  前記ハンガー棒３５の左右のものは、矢印で取出指示するように、同じ高さで相対向するようにしたり、さらに左上に示すように、一方のハンガー棒３５の中に他方のハンガー棒３５が収まるようにしたものでもよい。
【００２０】  尚、同装置には左右に出入り開口が設けられているが、乾燥効果を上げるため、同開口を、通気質のスクリーン３９で閉じるようにしてもよい。４０はスクリーン収納ケースである。また、装置には、熱交換器を内蔵して干し物３８からの水分を回収して溜めるようにしてもよい。
【００２２】  図４は身体乾燥装置の他の実施形態を示す。同装置は、浴室などに設置するもので、４３は底盤で、同底盤４３上には、共に湾曲状をなす本体壁４４と背面壁４５とが設けられ、その左右間が出入り口ａとして開口して残されている。この出入り口ａは、閉止スクリーン４６で開閉自在になっている。
【００２３】  同装置は、閉止スクリーン４６で閉止され換気自在な空間内で水（あるいは湯水）ノズル４７付き噴射パイプ４８で身体洗浄が可能になっているとともに、そのあとの身体の乾燥は吹出口４９付き熱風ダクト５０からの熱風吹出により可能となっている。さらに、夏季の暑さ対策のため、その横列に設けた冷風ダクト５１により身体を冷涼にすることもできるし、ミスト吹出装置５２により爽やかさを得ることもできるようにしてある。ミスト吹出装置５２からは、マイナスイオン混じりのミストやオゾンなどを吹き出してもよい。さらに、底盤４３には消毒液を熱風とともに吹き出す底部吹出装置５３を装備して、例えば、水虫対策にしてもよい。
尚、水ノズル４７からは切換により温水が吹き出すようにしてもよい。
また、同装置には他の実施形態でも示す干し物の乾燥手段を同時構成してもよい。
【００２４】  図５は他の実施形態を示す。５６は身体乾燥装置で、同装置５６の手前側の部分は熱風が吹きだす構成があり、また、出入り口５７にはスクリーンで閉止可能であるが、その背面壁５８側の凹み空間内には、物干手段としてのハンガー５９，５９がヒンジブラケット６０に支持され、図示矢印のように持ち上げて図示しない相手側の係止手段に引っ掛けることで干し物を掛けることができるようになっている。
【００２５】  図６は他の実施形態を示す。底盤６３と本体６４および天盤６５を備え背面壁６６を備えた身体乾燥装置であり、その側面開口が開閉可能になったもので、その背面壁６６の凹みスペースを利用して物干手段である個別ハンガー６７を左右に多数列配備してある。同ハンガー６７は乾燥時の邪魔にならないように背面壁６６の凹みに添った弓なり状をしている。個別ハンガー６７は、上下のものが一体に作動する形式にしてもよい。また、左右の個別ハンガー６７は、互いに高さをずらして干渉し合わないようにしてあるが、同じ高さにしてもよいし、弓なりにしてあるが、直棒状にしてもよい。
【００２６】  図７は他の実施形態を示す。前記したように大人と子供の身長差に対応して吹出口７０の長さ範囲を切り換えるようにしたもので、本体７１に開口した吹出口７０の周りにはモーター７２で駆動されたり握り手７３により手動操作可能な円筒を基本とする制御筒７４を備え、同筒７４には段階的に閉止部７５…を形成して仮想線のように回すことで吹出口７０を子供用に低い範囲の吹出口にすることができるようになっている。
尚、右図のように、斜め状の閉止部７７を備えた制御筒７８により吹出し制御するようにしてもよい。
【００２７】  図８および図９は他の実施形態を示す。この身体乾燥装置は、内外に二重の円筒体を備えてその間が換気機能をもつ中空部８０となった本体８１に同じく二重構造をした底盤８２と天盤８３を備えて構成し、出入り口８４にはシャッター８５を開閉装備するとともに、天盤８３の吹き降ろし口８６…を通じて髪の乾燥が可能とされ、さらに、本体８１の内周には、図８の矢印のように内向き斜め方向に熱風を吹き出す熱風吹出口８７…を配備したものである。この熱風吹出口８７…は、周方向に千鳥配置になっているが、これに限定されない。
【００２８】  熱風吹出口８７…からの熱風は水平な渦流を起生して身体を乾燥させるが、図９の右図のように下向き傾向のサイクロン流を形成すべく熱風吹出口８７…を下斜め抜きに配列してもよい。これらの場合、図９の矢印Ｘ１のように送風器（図示省略）に熱風を戻す経路にしたり、Ｘ２のように吹き降ろし口８６…に送る経路にしたり、さらに、上向きサイクロンにして矢印Ｙのように吹き降ろし口８６…に送り込む経路にすることができる。
尚、８８は熱風連通パイプであり、底盤８２側の送風機に連通しているが、同パイプ８８を省略して中空部８０それ自体が熱風の吹上げ空間となるようにしてもよい。この場合、中空部８０内でスパイラル流を起生しその流れに対向する突起板をガイドにしてそのまま各熱風吹出口８７に流入するようにしてもよい。
【００２９】  図１０は他の実施形態を示す。同実施形態は、例えば、脱衣室９１や浴室のコーナーを対象にして狭いスペースで設置され使用時は展開により広くなるようにした簡易型身体乾燥装置に関するものである。
同装置は、熱風発生装置９２を内蔵する三角柱状の本体９３と、同本体９３の左右両端にヒンジ９４を介して開いた状態でセットされた扉体９５を備え、本体９３の前面からは矢印のように前方に熱風が吹き出す熱風吹出口９６が設けられるとともに、扉体９５にも横吹出口９７が設けられている。そして、扉体９５と本体９３とは連通チューブ９８で本体９３内からの熱風を誘導すべく接続されている。扉体９５は、仮想線のように内側に狭めて対向させることでその間に入ることで熱風乾燥をすることができる。扉体９５の角度は自在に変更可能になっている。
【００３０】  図１１は他の実施形態を示す。本体１００の前面に左右一対の扉体１０１を折り畳み可能で、開くことで使用状態になるようにしたものである。１０２は吹出口で、本体１００の前面や扉体１０１の一側にそれぞれ配備されている。本体１００内と扉体１０１内部とは図示しない連通チューブでつながれている。
【図面の簡単な説明】
【００３１】
【図１】本発明の一実施形態を示す身体乾燥装置の平面図。
【図２】図１の正面図。
【図３】他の実施形態を示す斜視図。
【図４】他の実施形態を示す斜視図。
【図５】他の実施形態を示す斜視図。
【図６】他の実施形態を示す斜視図。
【図７】他の実施形態を示す斜視図。
【図８】他の実施形態を示す平面図。
【図９】図８の正面図。
【図１０】他の実施形態を示す平面図。
【図１１】他の実施形態を示す平面図。
【符号の説明】
【００３２】  １…底盤  ２…本体  ３…天盤  ５…駆動源  ６…送風機  １６…主ヒーター  １７…主吹出口  ２１…副ヒーター  ２２…副吹出口  ２４…背面壁  ２５…底連通口。
【図１】
2006223814.tif 000003
【図２】
2006223814.tif 000004
【図３】
2006223814.tif 000005
【図４】
2006223814.tif 000006
【図５】
2006223814.tif 000007
【図６】
2006223814.tif 000008
【図７】
2006223814.tif 000009
【図８】
2006223814.tif 000010
【図９】
2006223814.tif 000011
【図１０】
2006223814.tif 000012
【図１１】
2006223814.tif 000013